(57)【要約】      （修正有）【課題】第１部材に対する第２部材の固定作業性を向上させると共に、係止部の変形や破損を防止することができる遊技機を提供する。【解決手段】ベース部材４０の左壁部４７には、外方へ延出する係止突部４２,４２が設けられ、係止突部４２には凸となる円弧状の湾曲部５５が形成される。設置部材には、差込み姿勢としたベース部材４０の係止突部４２が差込み可能な差込み部７６が設けられると共に、差込み部７６に係止突部４２が差込まれた状態で湾曲部５５を回転可能に支持する当受け部７７が設けられている。また設置部材には、ベース部材４０を、湾曲部５５を中心として回転させて固定姿勢とした際に係止突部４２が係止される係止受部７０が設けられている。【選択図】図９
2014018586.tif 000002
【特許請求の範囲】
【請求項１】
所定の遊技媒体を用いて遊技が行なわれると共に特定条件が成立することにより遊技者に有利な特別遊技が付与されるよう構成された遊技機において、
前記遊技機を構成する第１部材の一側部から外方へ延出する係止部と、
前記遊技機を構成すると共に前記第１部材が取付けられる第２部材に画成され、前記一側部と反対の他側部が第２部材から離間した差込み姿勢に当該第１部材を保持した状態で前記係止部を差込み可能な差込み部と、
前記第２部材に設けられ、前記係止部が前記差込み部に差込まれた状態で、前記第１部材を前記他側部が前記第２部材に固定される固定姿勢とした際に該係止部に係止する被係止部と、
前記第１部材の一側部に形成され、前記第２部材側へ凸となる円弧状の曲面部と、
前記第２部材に形成され、前記差込み部に前記係止部が差込まれた状態で前記曲面部に当接して前記第１部材を回転可能に支持する当受け部とを備え、
前記第１部材は、前記曲面部を前記当受け部に当接させた状態で前記差込み姿勢から固定姿勢へ回転させることで、前記係止部と前記被係止部とが係止して前記第２部材に保持されるよう構成した
ことを特徴とする遊技機。
【請求項２】
前記係止部は、前記第１部材の一側部に沿う方向に並んで複数設けられ、
前記被係止部は、前記差込み部に沿う方向に並んで前記各係止部が個別に対応するよう複数設けられた請求項１記載の遊技機。
【請求項３】
前記第２部材における差込み部の差込み側に、該差込み部に差込んだ前記係止部に当接する規制部が設けられ、前記第１部材が前記差込み姿勢から固定姿勢へ回転する際に前記規制部が前記係止部に当接することで、該係止部が前記差込み部から離脱するのを規制するようにした請求項１または２記載の遊技機。
【請求項４】
前記当受け部は、前記曲面部が嵌合可能な凹となる円弧状に形成され、前記第１部材の回転に伴って該曲面部が摺接するようになっている請求項１〜３の何れか一項に記載の遊技機。
【発明の詳細な説明】
【技術分野】
【０００１】
本発明は、第１部材を第２部材に固定するよう構成された遊技機に関するものである。
【背景技術】
【０００２】
例えば、遊技機の代表例の一つであるパチンコ機は、機内にセットされる遊技盤の盤面にパチンコ球(遊技球)が打ち出される遊技領域が画成されている。遊技盤の後側には、各種図柄を変動表示して図柄変動演出を行なう液晶式やドラム式等の図柄表示装置等が配設された設置部材が取付けられている。また、前記遊技盤には、図柄表示装置の下方位置に、該図柄表示装置での図柄変動演出を開始させる契機となる始動入賞装置が配設されている。前記始動入賞装置には、球検出センサが設けられており、前記遊技領域を流下するパチンコ球が、始動入賞装置に設けた始動口に入賞して球検出センサで検出されることで、図柄表示装置での図柄変動演出を開始させると共に、パチンコ球を賞球として払い出すよう構成される。そして、前記図柄表示装置で図柄変動に伴うリーチ演出等の各種の遊技演出がなされ、該図柄表示装置に図柄が所定の組み合わせで停止することにより所謂大当りが発生すると、遊技盤に設けられた特別入賞装置が開放して多数の賞球を獲得し得るチャンスが与えられるよう構成されている。
【０００３】
前記パチンコ機は、遊技の進行や賞球の払い出し等を制御するための種々の制御基板を基板ケースに収納した各種の制御装置が、前記設置部材に配設されている(特許文献１参照)。例えば、主制御基板が収容される基板ケースは、該主制御基板を取付けるベース部材を備え、設置部材に対して容易に取り外しができないように、設置部材には庇状の被係止部および被固定部を設けると共に、ベース部材には、被係止部と設置部材との間に差込むことで該被係止部に係止される係止部および被固定部に整合する固定部を両側部に設け、被係止部と係止部との係止および被固定部と固定部との固定により、当該ベース部材を設置部材に固定するよう構成されている。
【先行技術文献】
【特許文献】
【０００４】
【特許文献１】特開２００６−１２２３４５号公報
【発明の概要】
【発明が解決しようとする課題】
【０００５】
特許文献１の図９に開示された基板ケース(ベース部材)に設けられた突出片(係止部)は、基板ケースの端部から外方へ突出した平板リブ状に形成されており、第２突出部(被係止部)と設置面(設置部材)との間に設けた差込み部に差込むように構成されている。すなわち、基板ケースを、突出片が設けられた側部と反対の側部側を設置面から離間させた差込み姿勢としたもとで突出片を差込み部に差込み、該突出片が差込み部に差込まれた状態で、該突出片が設けられた側部と反対の側部側を設置面に近接させて固定姿勢とすることで、該基板ケースを設置面に固定するようになっている。しかしながら、前述した従来の固定形態では、突出片が差込み部に斜めに差込まれるため、該突出片が第２突出部や設置部材に強く当たるようになり、ベース部材を差込み姿勢から固定姿勢に変位させ難く、設置面に対する基板ケースの固定作業性が悪い問題がある。しかも、基板ケースを固定姿勢に変位させる際に、差込み部に差込んだ突出片が該差込み部に保持されずに離脱し易く、この点においても設置面に対する基板ケースの固定作業性が悪くなっている。また、突出片が第２突出部や設置面に強く当たると、該突出片または第２突出部が変形したり破損するおそれもある。
【０００６】
すなわち本発明は、従来の技術に内在する前記問題に鑑み、これらを好適に解決するべく提案されたものであって、第１部材に対する第２部材の固定作業性を向上させると共に、係止部の変形や破損を防止するようにした遊技機を提供することを目的とする。
【課題を解決するための手段】
【０００７】
前記課題を克服し、所期の目的を達成するため、本願の請求項１に係る発明は、
所定の遊技媒体を用いて遊技が行なわれると共に特定条件が成立することにより遊技者に有利な特別遊技が付与されるよう構成された遊技機において、
前記遊技機を構成する第１部材(40)の一側部(47)から外方へ延出する係止部(42)と、
前記遊技機を構成すると共に前記第１部材(40)が取付けられる第２部材(30)に画成され、前記一側部(47)と反対の他側部(46)が第２部材(30)から離間した差込み姿勢に当該第１部材(40)を保持した状態で前記係止部(42)を差込み可能な差込み部(76)と、
前記第２部材(30)に設けられ、前記係止部(42)が前記差込み部(76)に差込まれた状態で、前記第１部材(40)を前記他側部(46)が前記第２部材(30)に固定される固定姿勢とした際に該係止部(42)に係止する被係止部(70)と、
前記第１部材(40)の一側部(47)に形成され、前記第２部材(30)側へ凸となる円弧状の曲面部(55)と、
前記第２部材(30)に形成され、前記差込み部(76)に前記係止部(42)が差込まれた状態で前記曲面部(55)に当接して前記第１部材(40)を回転可能に支持する当受け部(77)とを備え、
前記第１部材(40)は、前記曲面部(55)を前記当受け部(77)に当接させた状態で前記差込み姿勢から固定姿勢へ回転させることで、前記係止部(42)と前記被係止部(70)とが係止して前記第２部材(30)に保持されるよう構成したことを要旨とする。
【０００８】
請求項１に係る発明によれば、第１部材を差込み姿勢に保持した状態において、該第１部材に設けられた係止部が第２部材に設けられた差込み部に差込まれると、該第２部材に設けられた当受け部に第１部材に設けられた曲面部が当接するようになり、第１部材の係止部を第２部材の被係止部に係止させる際には、曲面部を当受け部に当接させた状態で該第１部材を差込み姿勢から固定姿勢へ回転させるようにしたので、該第１部材をスムーズかつ安定的に回転させることができて第２部材に対する第１部材の固定作業性を向上させ得る。また、第１部材を固定姿勢とした際には、係止部と被係止部とが係止して該係止部が差込み部から離脱することが規制されるので、該第１部材を第２部材にがたつきなく保持させることができる。更に、曲面部を当受け部に当接させた状態で第１部材を差込み姿勢から固定姿勢に回転させるので、係止部および被係止部に負荷がかかることを抑制でき、該係止部または被係止部の変形や破損を防止し得る。
【０００９】
請求項２に係る発明では、
前記係止部(42)は、前記第１部材(40)の一側部(47)に沿う方向に並んで複数設けられ、
前記被係止部(70)は、前記差込み部(76)に沿う方向に並んで前記各係止部(42)が個別に対応するよう複数設けられたことを要旨とする。
請求項２に係る発明によれば、第１部材の重量を複数の係止部および被係止部で受けるようになるから、各々の係止部および被係止部に対する負荷が軽減されて、該係止部および被係止部の変形や破損を防止し得る。
【００１０】
請求項３に係る発明では、
前記第２部材(30)における差込み部(76)の差込み側に、該差込み部(76)に差込んだ前記係止部(42)に当接する規制部(78)が設けられ、前記第１部材(40)が前記差込み姿勢から固定姿勢へ回転する際に前記規制部(78)が前記係止部(42)に当接することで、該係止部(42)が前記差込み部(76)から離脱するのを規制するようにしたことを要旨とする。
請求項３に係る発明によれば、差込み部に係止部が差込まれた状態で第１部材を差込み姿勢から固定姿勢へ回転させる際に、該係止部が差込み部から離脱することが規制されるから、第２部材に対する第１部材の固定作業を簡易かつ適切に行なうことができる。
【００１１】
請求項４に係る発明では、
前記当受け部(77)は、前記曲面部(55)が嵌合可能な凹となる円弧状に形成され、前記第１部材(40)の回転に伴って該曲面部(55)が摺接するようになっていることを要旨とする。
請求項４に係る発明によれば、凸となる円弧状の係止部が凹となる円弧状の当受け部に嵌合することで、係止部が差込み部に対して適切に位置決めされると共に保持される。そして、第１部材を差込み姿勢から固定姿勢へ回転させる際に曲面部が当受け部に摺接するから、第１部材をスムーズかつ安定的に回転させることができる。
【発明の効果】
【００１２】
本願発明に係る遊技機によれば、第１部材に対する第２部材の固定作業性を向上し得ると共に、係止部の変形や破損を防止することができる。
【図面の簡単な説明】
【００１３】
【図１】本発明の好適な実施例に係るパチンコ機を示す正面図である。
【図２】実施例のパチンコ機を、前枠を開放すると共に遊技盤の遊技領域内を省略して示す斜視図である。
【図３】実施例のパチンコ機を示す背面図である。
【図４】ベース部材を取付けた設置部材を示す背面図である。
【図５】図４のＶ−Ｖ線断面図である。
【図６】ベース部材に固定した主制御装置を、該ベース部材を設置部材に取付けた状態で示す部分背面図である。
【図７】実施例のベース部材を示す斜視図である。
【図８】実施例の設置部材とベース部材との連結部分を示す部分背面図である。
【図９】(ａ)は、ベース部材に設けられた係止突部を示す部分斜視図であり、(ｂ)は、設置部材に設けられた係止受部を示す部分斜視図である。
【図１０】図８のＸ−Ｘ線位置で破断した係止突部と係止受部の部分拡大断面図である。
【図１１】差込み姿勢に保持したベース部材の係止突部を、設置部材に設けられた差込み部に差込む状態を示す部分断面図である。
【図１２】差込み姿勢に保持したベース部材の係止突部を、設置部材に設けられた差込み部に差込んだ状態を示す部分断面図である。
【図１３】差込み部に係止突部を差込んだもとで、ベース部材を差込み姿勢から固定姿勢へ回転させることで、係止突部が係止受部に係止された状態を示す部分断面図である。
【図１４】係止突部と係止受部との別形態例を示す説明断面図である。
【発明を実施するための形態】
【００１４】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１５】
(パチンコ機)
実施例に係るパチンコ機Ｐは、図１および図２に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。遊技盤Ｄの裏側には、所定条件の成立を契機として演出用の図柄を変動表示させて図柄変動演出を行なう図柄表示装置Ｈが着脱可能に配設されている。中枠Ｂの前面側には、遊技盤Ｄを透視可能に保護する装飾枠としての前枠Ｃが開閉可能に組み付けられると共に、該前枠Ｃの下方には、パチンコ球を貯留する下球皿Ｆが中枠Ｂに組み付けられる。また、前枠Ｃの下部位置に、パチンコ球を貯留する上球皿Ｅが一体的に組み付けられており、前枠Ｃの開閉に合わせて上球皿Ｅも一体的に開閉するよう構成される。更に、中枠Ｂの右下方位置には、該中枠Ｂに配設された打球発射装置Ｊを作動する操作ハンドルＧが設けられており、該操作ハンドルＧの操作により打球発射装置Ｊが作動することで、上球皿Ｅに貯留されたパチンコ球が所定間隔で１球ずつ遊技盤Ｄに向けて連続的に発射されるようになっている。なお実施例では、図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００１６】
(中枠について)
中枠Ｂは、図２に示す如く、上側縁をなす上枠体１０と、下側縁をなし、打球発射装置Ｊ等の各種遊技部品を設置する設置部として機能する合成樹脂製の下枠体１１と、左側縁をなす左枠体１２と、右側縁をなす右枠体１３とから略矩形状に形成されている。そして外枠Ａに対して中枠Ｂは、互いの正面左側上下に配設されたヒンジ機構１４で横開き開閉および着脱が可能に取り付けられ、正面右側に設けられた一般的な施錠装置を利用して常には外枠Ａと係合された閉鎖状態に保持される。中枠Ｂには、４つの枠体１０,１１,１２,１３により前後に開口する遊技盤保持部１５が画成され、該遊技盤保持部１５に遊技盤Ｄが着脱自在にセット保持される。なお、中枠Ｂは、上下・左右の枠体を一体で形成したものであってもよい。また、図１および図２では、遊技盤Ｄの前面に配設されている各種の遊技部品は、レール２７を除いて図示省略してある。
【００１７】
前記パチンコ機Ｐには、図３に示す如く、中枠Ｂの裏側上部(図柄表示装置Ｈの上側)に位置して、設置枠台等に設けられた外部球供給設備から供給されるパチンコ球を貯留する球タンク１７が左右方向に延在するよう設けられている。また、中枠Ｂの裏側下部(図柄表示装置Ｈの左下)には、上下の球受け皿Ｅ,Ｆに連通する球通出案内部(図示せず)が設けられ、球タンク１７の左部と球通出案内部とは、球通路ユニット１８を介して連通接続している。そして、球通路ユニット１８に配設された球払出し装置１９の駆動により、球タンク１７内に供給されたパチンコ球を、上下の球受け皿Ｅ,Ｆへ給出し得るよう構成されている。
【００１８】
前記中枠Ｂにおける下枠体１１の裏側には、図２に示すように、パチンコ機Ｐの電源制御を行なう電源基板、球払出し装置１９を駆動制御する払出し制御基板２０、中枠Ｂに設置された打球発射装置Ｊを駆動制御する発射制御基板２１、外部端末に接続されるインターフェース基板２２等が配設されている。電源基板、払出し制御基板２０、発射制御基板２１、インターフェース基板２２は、遊技盤Ｄの裏側に配設される主制御基板２３に配線接続され、この主制御基板２３からの制御信号に基づいて所定の制御が実行される。中枠Ｂに配設される各種制御基板２０,２１,２２は、何れもケースに収容された状態でユニット化され、該ケースが下枠体１１の裏側の所定位置に取り付けられる。
【００１９】
(遊技盤Ｄについて)
前記遊技盤Ｄは、合板等の木製板部材の表面にセル板を配設したもの、あるいはアクリル板等の透明な合成樹脂製等からなる平板状の板部材で構成される。遊技盤Ｄの前面には、レール２７によって遊技領域２８が画成され、打球発射装置Ｊから発射されたパチンコ球が遊技領域２８内に打ち出され、該遊技領域２８内をパチンコ球が流下して遊技が行なわれる。また、遊技盤Ｄの前面には、図示しないが、遊技領域２８内に枠状装飾部材、パチンコ球が入賞可能な始動入賞装置、特別入賞装置、普通入賞装置等の各種入賞装置および多数本の遊技釘や風車等の各種遊技部品が配設されている。また遊技盤Ｄの裏側には、図３および図４に示すように、図柄表示装置Ｈ、可動演出装置８０および発光装置等の各種の遊技部品が配設される設置壁部３１を備えた合成樹脂製の設置部材３０が配設される。設置部材３０の設置壁部３１には前後に開口する表示窓口３２が形成され、図柄表示装置Ｈは、表示部Ｈ１を表示窓口３２に臨ませた状態で設置壁部３１の後側に取付けられ、該表示窓口３２および遊技盤Ｄに配設した枠状装飾部材の窓口を介して、表示部Ｈ１が遊技盤Ｄの前面側から視認し得るよう構成されている。
【００２０】
図４および図５に示すように、前記可動演出装置８０は、設置部材３０の設置壁部３１における前側左部に配設されている。この可動演出装置８０は、設置壁部３１の前側左下部に固定される本体部８１と、本体部８１に回転可能に配設されて該本体部８１から上方へ延出した作動部８２と、該作動部８２を本体部８１に対して回転させる駆動モータ８３とを備えている。作動部８２は、駆動モータ８３の駆動により、本体部８１から垂直上方へ延在する位置(図４に破線で示す位置)と、表示窓口３２の前側へ傾斜した位置(図４に２点鎖線で示す位置)との間を回転するようになっている。また、駆動モータ８３は、本体部８１から後側へ突出した状態で該本体部８１に固定されており、これに伴って設置壁部３１の左下には、後方へ突出したモータカバー部３３が形成されている。モータカバー部３３には、設置壁部３１の前後に貫通してスリット状をなす複数の排気孔３３ａが設けられており、駆動モータ８３で発生した熱を該排気孔３３ａを介して設置壁部３１の後側へ排出し得るようになっている。
【００２１】
前記始動入賞装置は、遊技領域２８を流下するパチンコ球が入賞可能な始動入賞口が設けられ、該始動入賞口へ入賞したパチンコ球が始動入賞センサで検出されることで、図柄表示装置Ｈの表示部Ｈ１で図柄変動が開始されると共に、所定数のパチンコ球が賞球として上下の球受け皿Ｅ,Ｆに払い出される。また、前記特別入賞装置は、入賞口が開閉扉で常には閉鎖されており、図柄表示装置Ｈの表示部Ｈ１での図柄変動の結果、該表示部Ｈ１に所定の図柄組み合わせ(例えば同一図柄の三つ揃い等)で図柄が停止表示される特定条件が成立することにより、遊技者に有利な特別遊技(所謂「大当り」)が付与され、これにより開閉扉が開放するよう作動制御されて、入賞口への入賞により多数の賞球を獲得し得るようになっている。
【００２２】
図３に示すように、設置部材３０の設置壁部３１の後側に着脱可能に配設される前記図柄表示装置Ｈには、表示部Ｈ１である液晶パネルの表示を制御する演出表示制御基板２４が、ケースに収容されて後面に配設されている。また、図柄表示装置Ｈの後面には、パチンコ機Ｐを発光演出する発光装置を発光制御したり、スピーカの効果音出力制御を行なう統括制御基板２５が、ケースに収容されて演出表示制御基板２４と並んで配設されている。パチンコ機Ｐでは、制御基板同士または制御基板と遊技部品である入賞装置の入賞センサ、図柄表示装置Ｈ、発光装置、スピーカ、図示しない可動体のモータやソレノイド等が、図示省略したハーネスおよび中継基板を介して電気的に接続される。
【００２３】
図３に示すように、前記設置部材３０における設置壁部３１の裏側下部(図柄表示装置Ｈの配設位置の下側)に、当該パチンコ機Ｐの遊技を総合的に制御する主制御基板２３が配設されている。この主制御基板２３には、制御動作を所定の手順で実行することができる主制御用ＣＰＵ、主制御用ＣＰＵの制御プログラムを格納する主制御用ＲＯＭおよび必要なデータの書き込み及び読み出しができる主制御用ＲＡＭ等の電子部品(何れも図示せず)が設けられている。主制御用ＣＰＵには、始動入賞口に入賞したパチンコ球を検知した始動入賞センサからの検知信号、特別入賞口に入賞したパチンコ球を検知した特別入賞センサからの検知信号、および普通入賞口に入賞したパチンコ球を検知した普通入賞センサからの検知信号等が入力される。主制御用ＣＰＵは、大当り判定用乱数、大当り図柄用乱数や変動パターン振分用乱数などの各種乱数の値を所定の周期毎に更新し、更新後の値を主制御用ＲＡＭの設定領域に記憶(設定)することで更新前の値を書き換えている。例えば、主制御基板２３では、始動入賞センサから検知信号が入力されると、主制御用ＣＰＵが主制御用ＲＡＭから大当り判定用乱数を取得し、この大当り判定用乱数と主制御用ＲＯＭの大当り判定値とを比較し、大当りとするか否かの大当り抽選(大当り判定)を行なう。また主制御基板２３では、前記大当り判定の結果が大当り(特定条件の成立)の場合には、大当り演出のみが含まれる変動パターンテーブルから大当り演出を決定する。これに対して、前記大当り判定の結果がはずれの場合には、はずれ演出のみが含まれる変動パターンテーブルからはずれ演出を決定する。大当り演出およびはずれ演出の決定は、前記大当り判定と同様に、主制御用ＣＰＵが主制御用ＲＡＭから取得した乱数により行なう。なお、変動パターンテーブルから決定される大当り演出およびはずれ演出の変動パターンは、少なくとも図柄変動ゲームの変動時間および演出内容を特定するものである。
【００２４】
前記パチンコ機Ｐでは、主制御基板２３の抽選結果に応じて出力された統括制御基板２５の制御信号に基づいて、演出表示制御基板２４が図柄表示装置Ｈを所定の演出表示させると共に、主制御基板２３の制御により出力された払出し制御基板２０の制御信号に基づいて、球払出し装置１９によって所定数の賞球が払い出される。また、パチンコ機Ｐでは、統括制御基板２５の制御信号に基づいて、各発光装置を発光させ、スピーカから効果音を出力するようになっている。このように、主制御基板２３は、パチンコ機Ｐの遊技および賞球の払出しを総合的に司る極めて重要な基板である。
【００２５】
(主制御装置)
前記主制御基板２３は、不正なプログラムが記憶されたＲＯＭを搭載した基板と交換されることを防ぐために、図３および図７に示すように、前カバー体３６と後カバー体３７とからなる基板ケース３５に収容されて、設置部材３０における設置壁部３１の裏側下部(図柄表示装置Ｈの下側)に着脱自在に取付けられたベース部材４０の裏側に取付けられる。前カバー体３６および後カバー体３７は、開封方向への回転が困難に形成されたネジで連結することで主制御基板２３を封入した状態で保持し、該ネジによる締結部位を破壊しない限り基板ケース３５の開放を阻止する構成を採用することで、該主制御基板２３の不正交換を抑止するようにしている。なお、実施例では、主制御基板２３を基板ケース３５に収容したものを主制御装置２６と指称する。
【００２６】
前記基板ケース３５には、図６に示す如く、左右方向の一端(実施例では左端)に、外側方に突出する差込み突部３８が設けられると共に、該基板ケース３５における左右方向の他端(実施例では右端)に取付部３９が設けられている。そして、ベース部材４０に設けられた後述の差込み受部５０に差込み突部３８を差込むと共に、該ベース部材４０に設けられた取付受部５１に取付部３９を取付具３４を固定することで、主制御装置２６が該ベース部材４０に取付固定されるようになっている。
【００２７】
(ベース部材)
前記ベース部材(第１部材)４０は、図７に示す如く、基板ケース３５(主制御装置２６)が取付けられるケース設置部４１と、該ケース設置部４１における左右方向の一端(実施例では左端)に、外側方に突出する２つの係止突部(係止部)４２,４２が設けられると共に、該ケース設置部４１における左右方向の他端(実施例では右端)に、外側方に突出する固定部４３が設けられている。これに対し、設置部材(第２部材)３０における設置壁部３１の後面左下には、図４、図６および図８に示すように、各係止突部４２,４２に対応する位置に、各係止突部４２,４２が各々係止可能な２つの係止受部(被係止部)７０,７０が形成されると共に、設置壁部３１の後面における該係止受部７０から右方に離間した右下には、固定部４３が対応する被固定部７１が設けられている。そしてベース部材４０は、各係止突部４２,４２を各係止受部７０,７０に係止させると共に固定部４３を被固定部７１に固定具４４で連結係止することで、設置部材３０に位置決め固定されるようになっている。
【００２８】
(ケース設置部)
前記ケース設置部４１は、図７に示すように、基板ケース３５の外縁形状、サイズに合わせて横長矩形状の平坦に形成されている。ケース設置部４１の下端には、前方へ延出する下壁部４５が形成され、ケース設置部４１の右端には、前方へ延出すると共に該右端の下端から上下略中央まで延在する右壁部(一側部)４６が形成され、ケース設置部４１の左端には、前方へ延出すると共に該左端の下端から上下中央より上方まで延在する左壁部(他側部)４７が形成されている。また、ケース設置部４１の上端には、後方へ突出する鍔部４８が形成されている。そして、ケース設置部４１における左壁部４７より上部分は左外方へ延長され、該延長部分の後面に前述した差込み受部５０が設けられると共に、該ケース設置部４１における右壁部４６より上部分は右外方へ延長され、該延長部分の後面に前述した取付受部５１が設けられている。なお、ケース設置部４１の後面には、該ケース設置部４１を全体的に覆う形状に形成された金属製の遮蔽保護板４９が取付けられている。
【００２９】
前記差込み受部５０には、右側に開口する差込み口５０Ａが開設され、差込み突部３８を該差込み受部５０の右方に臨ませた基板ケース３５をケース設置部４１に対して左側へ移動することで、差込み受部５０の差込み口５０Ａに差込み突部３８が挿入されて該差込み突部３８が差込み受部５０に係合し、これによって基板ケース３５の左端部がベース部材４０に対して係止されるよう構成される。前記取付受部５１は、差込み受部５０から右方に離間して設けられ、差込み突部３８が差込み受部５０に挿入された係止状態で、基板ケース３５に設けた取付部３９が該取付受部５１後側に整合するよう構成される。そして、取付部３９に仮セットされた取付具３４を取付受部５１に差込んで係止することで、基板ケース３５の右端部がベース部材４０に係止される。従って、ベース部材４０は、基板ケース３５の差込み突部３８を差込み受部５０に係止させると共に、取付具３４で取付部３９を取付受部５１に係止させることで、ケース設置部４１の後側で主制御装置２６を固定保持する。
【００３０】
(係止突部)
前記各係止突部４２,４２は、図７、図９(ａ)および図１０に示すように、ケース設置部４１の左端に形成された左壁部４７の外面に、上下方向に延在すると共に左外方へ突出した状態に形成され、該左壁部４７に沿う上下方向に並んで設けられている。各係止突部４２,４２は、左壁部４７の外面において前後中間部分から左前方へ傾斜した状態で延出形成された傾斜延出部５３と、該傾斜延出部５３の突出端から左壁部４７と略平行で前方へ延出した中間延出部５４と、該中間延出部５４の前端から前方へ凸となる半円弧状に湾曲して先端が後方を向いた湾曲部(曲面部)５５とを備えている。従って、湾曲部５５の前面は、中間延出部５４と先端間との間が設置部材３０側へ凸となる半円弧状をなして上下方向に延在する曲面となっている。また、湾曲部５５の後側には、後方へ開口すると共に前方へ凹んだ凹部５６が形成されている。なお、実施例では、上の係止突部４２および下の係止突部４２は、各々の傾斜延出部５３、中間延出部５４および湾曲部５５が上下に連設して一体化された形態となっているが、各々の傾斜延出部５３、中間延出部５４および湾曲部５５を分離させて、各係止突部４２,４２を単独に形成するものであってもよい。
【００３１】
上の係止突部４２の上端には、左方へ水平状に延出する上リブ５７が形成されていると共に、下の係止突部４２の下端には、左方へ水平状に延出して上リブ５７と上下に対向する下リブ５８が形成されている。上リブ５７および下リブ５８は、図９および図１０に示すように、係止突部４２の湾曲部５５より前方および左方へ突出すると共に、該湾曲部５５が連設される部分は該湾曲部５５に曲面に沿うよう円弧状に形成されている。上リブ５７および下リブ５８は、後述するように、各係止突部４２,４２を対応の係止受部７０,７０に差込んで係止させる際に、各係止受部７０,７０に対する各係止突部４２,４２の上下方向の位置決めを図ると共に、各係止突部４２,４２を各係止受部７０,７０に係止させた後には、設置部材３０に対するベース部材４０の上下方向の移動規制を図るようになっている。
【００３２】
また、図７、図９(ａ)および図１０に示すように、中間延出部５４と湾曲部５５との間における上下方向の中央を挟んで上下に離間した位置に、２つの第１中間リブ５９,５９が、該中間延出部５４および湾曲部５５に連設した状態で形成されている。各第１中間リブ５９,５９は、上の係止突部４２および下の係止突部４２の境界に形成されており、上の第１中間リブ５９と上リブ５７との間が上の係止突部４２とされ、下の第１中間リブ５９と下の第１中間リブ５９と下リブ５８との間が下の係止突部４２とされている。そして、各第１中間リブ５９,５９は、図８に示すように、上の係止突部４２と下の係止突部４２との間に嵌合し得るようになっている。すなわち、各第１中間リブ５９,５９は、前述した上リブ５７および下リブ５８と同様に、係止突部４２を係止受部７０に差込んで係止させる際に、該係止受部７０に対する該係止突部４２の上下方向の位置決めを図ると共に、係止突部４２を係止受部７０に係止させた後には、設置部材３０に対するベース部材４０の上下方向の移動規制を図るようになっている。なお、図８から明らかなように、係止突部４２,４２を構成する傾斜延出部５３、中間延出部５４および湾曲部５５の上下方向の延在長Ｌ２は、ケース設置部４１の左端の上下長Ｌ１の１／２以上となっている。
【００３３】
また、図８、図９(ａ)および図１０に示すように、左壁部４７と中間延出部５４との間における上下方向の中央に、１つの第２中間リブ６０が、左壁部４７、傾斜延出部５３および中間延出部５４に連設して形成されている。この第２中間リブ６０は、傾斜延出部５３および中間延出部５４の上下中央部分が、前後方向および左右方向へ変形するのを規制する補強リブである。
【００３４】
また、左壁部４７の内側には、図９(ａ)および図１０に示すように、右方へ延出すると共にケース設置部４１の後面まで延在する第１補強リブ６１が、上下方向に所要間隔毎に離隔して複数(例えば４つ)形成されている。各第１補強リブ６１は、左壁部４７が右外方から加わった外力に対して該左壁部４７が左方へ変形するのを阻止するよう機能する。更に、下リブ５８の下面と左壁部４７の外面との角部には、三角形状の第２補強リブ６２が形成されている。
【００３５】
従って、上下の各係止突部４２,４２を形成する傾斜延出部５３、中間延出部５４および湾曲部５５は、上リブ５７および下リブ５８を設けたことで、該傾斜延出部５３、中間延出部５４および湾曲部５５の各々の上部および下部の前後方向および左右方向への変形が規制されるようになっている。また、傾斜延出部５３、中間延出部５４および湾曲部５５は、各第１中間リブ５９,５９および第２中間リブ６０を設けたことで、各々の上下中間部分の前後方向および左右方向への変形が規制されるようになっている。そして、各係止突部４２,４２は、全体がブロック状に構成されて剛性向上が図られている。これにより、各係止突部４２,４２は、係止受部７０に差込んでベース部材４０を設置部材３０に取付ける際に変形が規制されると共に、ケース設置部４１に主制御装置２６を取付けたベース部材４０を設置部材３０に取付けた後においては、該主制御装置２６の重量が加わっても変形が規制されるようになっている。
【００３６】
(係止受部)
前記各係止受部７０,７０は、図４、図５、図８〜図１０に示すように、設置部材３０の設置壁部３１における後面左下において、後方へ延出するよう設けられた基部７２の右側面に、設置部材３０の後面から後方へ離間した位置から右方へ延出した状態で上下方向に並んで設けられ、各係止突部４２,４２に各々係止するようになっている。基部７２は、前述したモータカバー部３３の右側に隣接して設けられると共に、該基部７２の左側には複数(実施例では４つ)の補強リブ７２Ａが上下に離間して設けられて、右方から押された際に左方への変形が規制されるようになっている。そして、最も上の補強リブ７２Ａおよび上から２番目の補強リブ７２Ａとの間の右側に、上の係止受部７０が位置し、上から３番目の補強リブ７２Ａと最も下の補強リブ７２Ａとの間の右側に、下の係止受部７０が位置するようになっており、両係止受部７０,７０に右方から作用した外力を基部７２が適切に支持するようになっている。
【００３７】
また、基部７２および各補強リブ７２Ａは、図５に示すように、モータカバー部３３の後面より後方へ突出するように形成されている。従って、例えばモータカバー部３３の後方に配設される部材や装置は、基部７２の後端または補強リブ７２Ａの後端に接触して該モータカバー部３３には接触し難くなり、モータカバー部３３の保護が図られると共に、モーターカバー部３３の後側に隙間が確保されて排気孔３３Ａによる排熱効果の低下が防止されるようになっている。
【００３８】
前記各係止受部７０,７０は、図８、図９(ｂ)および図１０に示すように、右方へ延出する延出部７３と、該延出部７３の上端、右端および下端の三方向から前方へ突出した突縁部７４と、延出部７３の上端および下端から後方へ突出して基部７２の右側面に連設されるリブ７５,７５とを備え、係止突部４２が接触しても変形が規制され得るようになっている。そして、突縁部７４の前端面が、係止突部４２における湾曲部５５の先端５５Ａを当受けるようになっている。なお、各係止受部７０,７０は、係止突部４２の湾曲部５５が差込まれた後述する差込み部７６に差込まれた状態で、ベース部材４０を、右端に形成された固定部４３が被固定部７１に固定される固定姿勢とした際に、係止突部４２に係止するようになっている。
【００３９】
図８に示すように、上の係止受部７０の下縁と下の係止受部７０の上縁との上下方向での間隔Ｌ３は、係止突部４２に設けられた前述の第１中間リブ５９,５９の上下間隔、すなわち上の第１中間リブ５９の上面と下の第１中間リブ５９の下面との上下方向での間隔Ｌ４より僅かに大きく設定されている。これにより、各係止突部４２,４２が係止受部７０,７０に各々係合する際に、両係止受部７０,７０間に各第１中間リブ５９,５９が入り込み得るようになっている。
【００４０】
(差込み部)
図９(ｂ)および図１０に示すように、各係止受部７０,７０における設置壁部３１の後面側には、係止突部４２が差込み可能な差込み部７６が画成されている。この差込み部７６は、固定部４３が形成された右端側を設置壁部３１の後面から離間させて斜めにした差込み姿勢に当該ベース部材４０を保持した状態で、係止突部４２における湾曲部５５の差込みが可能に形成されている。また差込み部７６は、ベース部材４０の差込み姿勢で係止突部４２が差込まれた状態で、該係止突部４２が回転するのを許容するように形成されており、ベース部材４０を差込み姿勢から固定姿勢への回転を可能としている。
【００４１】
(当受け部)
また、設置部材３０の設置壁部３１の裏面には、図８、図９(ｂ)および図１０に示すように、係止突部４２における湾曲部５５が嵌合可能な凹となる円弧状に形成された当受け部７７,７７が、上下に離間して複数(実施例では２つ)形成されている。このうち、上の当受け部７７は、上の係止受部７０の右上方において設置壁部３１の後面から後方へ突設されると共に、該後面側へ凹となる円弧状の当受け面７７Ａが形成され、下の当受け部７７は、下の係止受部７０の右下方において設置壁部３１の後面から後方へ突設されると共に、該後面側へ凹となる円弧状の当受け面７７Ａが形成されている。上下の各当受け部７７,７７は、垂直軸線上に整列して位置していると共に、上の当受け部７７の上面から下の当受け部７７の下面までの上下方向での間隔Ｌ５は、前記上下長Ｌ２より僅かに小さく設定されている(図８)。従って、係止突部４２を差込み部７６に差込んだ後には、図９および図８に示すように、上の当受け部７７の上方に上リブ５７が位置すると共に、下の当受け部７７の下方に下リブ５８が位置するようになっている。
【００４２】
(規制部)
また、図９(ｂ)および図１０に示すように、設置部材３０における設置壁部３１の後面において、差込み部７６に対する係止突部４２の差込み側(差込み部７６の右側)に、該差込み部７６に差込んだ係止突部４２当接する規制部７８が設けられている。この規制部７８は、上の当受け部７７および右の当受け部７７の右側において、設置壁部３１の後面から後方へ突出するとともに上下方向に延在しており、突出端の差込み部７６側に、差込み部７６に差込んだ係止突部４２の湾曲部５５に当接する当接面７８Ａを備えている。そして規制部７８は、差込み部７６に各係止突部４２,４２を差込んだ状態において、ベース部材４０を差込み姿勢から固定姿勢へ回転する際に当接面７８Ａが湾曲部５５に当接することで、各係止突部４２,４２が差込み部７６から離脱するのを規制するようになっている。
【００４３】
(係止突部と差込み部との寸法関係について)
ここで、係止突部４２と差込み部７６との寸法関係につき、図１０を引用して説明する。ベース部材４０の固定姿勢において、係止突部４２における湾曲部５５の最も前方に突出した部分と該湾曲部５５における後方を指向した先端(最後部)５５Ａとの前後方向での厚みＷ１は、差込み部７６に対する係止突部４２の差込み方向(図１０の矢印方向)と直交する方向における係止受部７０の右端と規制部７８の当接面７８Ａとの差込み幅Ｗ２以下に設定されている。これにより、ベース部材４０を差込み姿勢とした状態で、差込み方向から差込み部７６に対する係止突部４２の差込みが許容される。また、係止受部７０の突縁部７４の前端面(当接面)と、規制部７８の突出端との前後方向での間隔Ｗ３は、係止突部４２の湾曲部５５の厚みＷ１より小さく設定されている。これにより、差込み部７６に係止突部４２を差込んだ状態で、ベース部材４０を固定姿勢とした際には、係止突部４２の湾曲部５５に規制部７８が当接するため、前述したように、差込み部７６からの係止突部４２,４２の離脱が規制される。なお、実施例の形態では、図１０から明らかなように、湾曲部５５の厚みＷ１に対して隙間Ｗ３が半分以下であるから、差込み部７６に係止突部４２を差込んだ状態で、ベース部材４０を差込み姿勢から少しだけ回転させた回転初期段階で、差込み部７６からの係止突部４２,４２の離脱が規制されるようになる。
【００４４】
(固定部)
前記固定部４３には、図４〜図８に示すように、固定具４４が回転可能に取付けられている。この固定具４４は、固定部４３の後側に位置する摘み部４４Ａと、該固定部４３の前方へ突出して被固定部７１の係止孔(図示せず)に突入し、摘み部４４Ａを回転させることで該被固定部７１に係脱可能に係合する係止部(図示せず)とを備えている。すなわち、固定部４３は、ベース部材４０を固定姿勢とすることで被固定部７１に整合し、固定具４４を係止位置に回転させることで該被固定部７１に固定される。
【００４５】
(実施例の作用)
次に、実施例に係るパチンコ機Ｐの作用につき説明する。
【００４６】
前記設置部材３０に対して前記ベース部材４０を取り付けるに際しては、先ず、ベース部材４０における係止突部４２,４２が設けられた左端側を設置部材３０の後側に近接させると共に、該ベース部材４０における固定部４３が設けられた右端側を該左端側より設置部材３０の後面から離間させて、当該ベース部材４０を差込み姿勢とする(図１１)。そして、ベース部材４０を差込み姿勢に保持した状態において、該ベース部材４０に設けられた各係止突部４２,４２を、設置部材３０に設けられた差込み部７６に差込む(図１２)。なお、差込み部７６に対する係止突部４２,４２の差込み時には、ベース部材４０に設けられた各第１中間リブ５９,５９を、各係止受部７０,７０の間に位置させ、上リブ５７を上の当受け部７７より上方に位置させると共に、下リブ５８を下の当受け部７７より下方に位置させるようにすることで、係止受部７０,７０に対する係止突部４２,７２の上下方向の位置決めが図られる。
【００４７】
そして、各係止受部７０,７０に対して各係止突部４２,４２が適切に位置決めされたら、係止突部４２における湾曲部５５を規制部７８の当接面７８Ａに接触させながら該係止突部４２を差込み部７６へ差込むことで、該湾曲部５５の先端が係止受部７０の端部に強く接触することなく円滑に差込まれる。そして、係止突部４２が差込み部７６に対して適切に差込まれると、図１２に示すように、上の当受け部７７および下の当受け部７７に湾曲部５５が嵌合して、両当受け部７７,７７の当受け面７７Ａに湾曲部５５が当接するようになる。
【００４８】
差込み部７６に対する係止突部４２の差込みが完了したら、図１３に示すように、差込み姿勢のベース部材４０を、右端を設置部材３０の設置壁部３１に近接した固定姿勢へ回転させる。この際に、各係止突部４２,４２の湾曲部５５が上下の各当受け部７７,７７の当受け面７７Ａに各々接触した状態で該係止突部４２,４２が回転するようになり、湾曲部５５が当受け面７７Ａに摺接しながらベース部材４０が差込み姿勢から固定姿勢へスムーズかつ安定的に回転する。また、差込み姿勢で差込み部７６に差込まれた係止突部４２の湾曲部５５に規制部７８が当接しているので、ベース部材４０を差込み姿勢から固定姿勢に向けて回転させ始めた初期段階で、差込み部７６からの係止突部４２の離脱が規制されるようになり、ベース部材４０を差込み姿勢から固定姿勢へ回転させる途中において、該ベース部材４０の左側が設置部材３０から外れることが防止され、該ベース部材４０を安定的に回転させることができる。
【００４９】
ベース部材４０を固定姿勢まで回転させると、図１３に示すように、各係止突部４２,４２における湾曲部５５の先端５５Ａが、係止受部７０,７０の突縁部７４の前端面に前側から対向して当接するようになり、各係止突部４２,４２と各係止受部７０,７０とが適切に係止される。これにより、ベース部材４０の左端側が設置部材３０から後方へ離間することが規制される。各係止突部４２,７２の湾曲部５５が上下の各当受け部７７,７７に嵌合状態に保持されていると共に、該湾曲部５５に規制部７８が当接していることで、設置部材３０に対するベース部材４０の左右方向の位置決めが適切に図られる。また、係止突部４２に設けられた各第１中間リブ５９,５９が、一対の係止受部７０,７０の間に位置して各係止受部７０,７０に対して上下方向で係止可能となり、該係止突部４２の上リブ５７が上の当受け部７７の上方に位置して該上の当受け部７７と上下方向で係止可能となると共に、下リブ５８が下の当受け部７７の下方に位置して該下の当受け部７７と上下方向で係止可能となるから、設置部材３０に対するベース部材４０の上下方向の位置決めが適切に図られる。
【００５０】
そして、各係止突部４２,４２と各係止受部７０,７０とにより、固定姿勢としたベース部材４０が設置部材３０に対して適切に位置決めされ、ベース部材４０の固定部４３が、設置部材３０の被固定部７１に整合するので、該固定部４３に取付けられた固定具４４によって該固定部４３を被固定部７１に固定することで、設置部材３０に対してベース部材４０は右端側が位置決め固定される。なお、固定具４４による連結を解除して、ベース部材４０を固定姿勢から差込み姿勢へ逆回転させることで、該ベース部材４０を設置部材３０から取り外すことが可能である。
【００５１】
前述のように構成された実施例のパチンコ機Ｐによれば、ベース部材４０を差込み姿勢に保持した状態において、該ベース部材４０に設けられた各係止突部４２,４２が設置部材３０に設けられた差込み部７６に差込まれると、設置部材３０に設けられた当受け部７７にベース部材４０に設けられた湾曲部５５が当接するようになり、ベース部材４０の係止突部４２を設置部材３０の係止受部７０に係止させる際には、湾曲部５５を当受け部７７に当接させた状態で該ベース部材４０を差込み姿勢から固定姿勢へ回転させるようにしたので、該ベース部材４０をスムーズかつ安定的に回転させることができて設置部材３０に対するベース部材４０の固定作業性を向上させ得る。そして、湾曲部５５を各当受け部７７,７７に当接させた状態でベース部材４０を差込み姿勢から固定姿勢に回転させるので、係止突部４２の湾曲部５５および係止受部７０の各係止受部７０に負荷がかかることを抑制でき、該係止突部４２や係止受部７０の変形や破損を防止し得る。
【００５２】
そして、差込み部７６に係止突部４２を差込むと、係止突部４２の凸となる円弧状の湾曲部５５が、凹となる円弧状の当受け部７７に嵌合するようになっているので、係止突部４２が差込み部７６に対して適切に位置決めされると共に保持される。そして、ベース部材４０を差込み姿勢から固定姿勢へ回転させる際に湾曲部５５が当受け部７７に摺接するから、ベース部材４０をスムーズかつ安定的に回転させることができる。
【００５３】
また、差込み部７６に差込まれた係止突部４２,４２の湾曲部５５に対して規制部７８が当接するようになるから、係止突部４２が差込み部７６に差込まれた状態でベース部材４０を差込み姿勢から固定姿勢へ回転させる際に、該係止突部４２が差込み部７６から離脱することが規制され、回転させる該ベース部材４０が設置部材３０から外れることが防止されるから、設置部材３０に対するベース部材４０の固定作業を簡易かつ適切に行なうことができる。そして、ベース部材４０を固定姿勢とした際には、各係止突部４２,４２と各係止受部７０,７０とが係止すると共に、該係止突部４２の湾曲部５５に規制部７８が当接しているから、各係止突部４２,４２が差込み部７６から離脱することが規制され、該ベース部材４０を設置部材３０にがたつきなく保持させることができる。
【００５４】
また、ベース部材４０には、該ベース部材４０の左壁部４７に沿う上下方向に並んだ２つの係止突部４２,４２を設けると共に、設置部材３０には、差込み部７６に沿う上下方向に並んだ２つの係止受部７０,７０を設けて、各係止突部４２,４２と各係止受部７０,７０とが個別に係止するよう構成したから、ベース部材４０および該ベース部材４０に取付けられた主制御装置２６の重量を、各係止突部４２,４２および各係止受部７０,７０で受けるようになり、各係止突部４２,４２および各係止受部７０,７０に対する負荷が軽減して該係止突部４２および該係止受部７０の変形や破損を防止し得る。更に、係止突部４２,４２は、各々の傾斜延出部５３、中間延出部５４および湾曲部５５が連設されて一体に形成されていると共に、第１中間リブ５９、第２中間リブ６０および上下のリブ５７,５８で補強されているから、全体がブロック状に構成されて剛性が向上しており、該係止突部４２,４２を差込み部７６に差込む際や、ベース部材４０を回転させる際に該係止突部４２の変形が規制される。
【００５５】
(変更例)
本願は前述した実施例や別実施例の構成に限定されるものではなく、その他の構成を適宜に採用することができる。
（１）実施例では、第１部材として、主制御装置２６が取付けられるベース部材４０を例示し、第２部材として、該ベース部材４０が取付けられる設置部材３０を例示したが、第１部材および第２部材は、ベース部材４０および設置部材３０に限らず、遊技機において互いに固定保持される関係にある部材も対象とすることは勿論である。
（２）実施例では、第１部材であるベース部材４０に２つの係止突部４２,４２が設けられると共に、第２部材である設置部材３０には各係止突部４２,４２に対応する２つの係止受部７０,７０が設けられた形態を例示したが、係止突部４２および係止受部７０の配設数は２つに限らず、１つまたは３つ以上であってもよい。
（３）実施例では、当受け部７７に当接すると共に摺動する曲面部５５を、左壁部４７に設けられた係止突部４２の一部である湾曲部とした場合を例示したが、該曲面部５５は、係止突部４２とは別に左壁部４７に設けるようにしてもよい。なお、曲面部５５の形成位置を係止突部４２とは別の部位とした場合には、これに合わせて当受け部７７を設ける位置も変更される。
（４）当受け部７７は、凸となる円弧状の曲面部の形状に合わせて凹となる円弧状に形成したものに限らず、平坦状に形成したものであってもよい。また、当受け部７７は、設置部材３０における設置壁部３１の裏面において差込み部７６に臨む部位に設けるようにしてもよい。
（５）図１４に示すように、係止突部４２は、湾曲部５５の先端５５Ａを延長形成すると共に、係止受部７０は、突縁部７４を右端だけに形成して該係止受部７０を鉤形状として、ベース部材４０を固定姿勢にした際に、湾曲部５５の先端５５Ａが係止受部７０の突縁部７４の背面側へ差込まれる形態とすれば、実施例で例示した規制部７８を省略することが可能である。
（６）本願が対象とする遊技機は、パチンコ球を遊技媒体として用いて遊技が行なわれるパチンコ機に限られるものではなく、アレンジボール機、スロットマシン等、  所定の遊技媒体を用いて遊技が行なわれると共に特定条件が成立することにより遊技者に有利な特別遊技が付与されるよう構成された遊技機の全てが対象とされる。
【符号の説明】
【００５６】
３０設置部材(第２部材)，４０ベース部材(第１部材)，４２係止突部(係止部)
４６右壁部(他側部)，４７左壁部(一側部)，５５湾曲部(曲面部)
７０係止受部(被係止部)，７６差込み部，７７当受け部，７８規制部
【図１】
2014018586.tif 000003
【図２】
2014018586.tif 000004
【図３】
2014018586.tif 000005
【図４】
2014018586.tif 000006
【図５】
2014018586.tif 000007
【図６】
2014018586.tif 000008
【図７】
2014018586.tif 000009
【図８】
2014018586.tif 000010
【図９】
2014018586.tif 000011
【図１０】
2014018586.tif 000012
【図１１】
2014018586.tif 000013
【図１２】
2014018586.tif 000014
【図１３】
2014018586.tif 000015
【図１４】
2014018586.tif 000016